【事件の表示】
　平成１０年特許願第　８４４３８号「イメージセンサ」拒絶査定に対する審判事件［平成１１年１０月１５日出願公開、特開平１１−２８４７９６］について、次のとおり審決する。
【結　論】
　本件審判の請求は、成り立たない。
【理　由】
１．手続の経緯
　本願は、平成１０年３月３０日の出願であって、原審審査官がした拒絶理由の通知に対して平成１３年１０月１日付で手続補正がなされ、平成１３年１２月１０日付で拒絶査定がなされ、これに対して、平成１４年１月１７日付で審判請求がなされた後、平成１４年２月６日付で手続補正がなされ、当審がした拒絶理由の通知に対して平成１５年９月１９日付で手続補正がなされたものである。
　
２．本願発明
　本願の請求項１に係る発明（以下、「本願発明」という。）は、前記平成１５年９月１９日付手続補正書により補正された明細書及び図面の記載からみて、その特許請求の範囲の請求項１に記載された次のとおりのものである。
「【請求項１】　原稿に光を照射するライン光源と、原稿からの反射光を集束するロッドレンズアレイと、このロッドレンズアレイからの反射光を結像するセンサＩＣを有するセンサ基板と、前記ロッドレンズアレイの出射面の長手方向に沿った両端部に接触して前記ロッドレンズアレイの光軸方向における位置決めを行う位置決め部及び複数の係合部を有するフレームと、前記ロッドレンズアレイの入射面に接触して前記両端部を前記位置決め部に押し当て、前記フレームの複数の係合部に接着せずにそれぞれ係合する係合手段を有する透明部材と、前記ロッドレンズアレイと前記フレーム及び前記透明部材を内側に収納した筐体と、原稿上を回転して前記筐体を移動させ、前記透明部材を前記筐体の内側に収納した状態で前記透明部材と原稿とを所定の間隔をおくように前記筐体に取り付けられた複数のローラとを備えたイメージセンサ。」
　
３．引用例
（１）引用例１
　これに対して、当審で引用した特開平７−１６２５８７号公報（以下、「引用例１」という。）には、図面（特に、第３図）とともに以下の各記載がある。
　ア．「【０００４】
【発明が解決しようとする課題】しかしながら、上記従来の密着型イメージセンサでは、以下に示すような課題があった。
（１）即ち、上記従来例ではカバーガラス１１と枠体１０とが個別部品となっており、部品点数が多く、カバーガラス１１を位置決め固定するため枠体１０へ接着する工程が必要となる等のためにコスト高の要因となっていた。」（第２頁右欄第４９行〜同頁右欄第７行）
　イ．「・・・１は原稿を照明するための光源であるところのＬＥＤアレイであり、ＬＥＤチップ２を原稿に対応して直線上に多数個、半田付けにより実装したものである。３はＬＥＤアレイ１からの光を原稿４の読み取りライン５へ効率良く導くための光ガイド、６は光透過性プラスチックで形成された窓部（枠体１０の一部となっている）、７は原稿面の光情報を結像するための結像素子としてのレンズアレイ、８はレンズアレイ７により結像された光情報を電気信号へ変換する光電変換素子９を読み取り原稿の長さに対応し配列したセンサアレイ・・・」（第３頁左欄第２４〜３４行）
　ウ．「【００１７】図３は本発明の密着型イメージセンサの第２の実施例を表わす断面図である。図３に示すように、第１の実施例と同様に、光ガイド３、窓部６を透明プラスチックで、枠体１０の窓部を除く部分を黒色プラスチックで一体押し出し形成している。
部品の取り付け方法としては、枠体１０の窓部６の反対側から矢印の方向に結像素子としてのレンズアレイ７を窓部６に突き当て、枠体１０にはめ込み
　エ．「【００３１】図６は上記密着型イメージセンサを用いて構成した画像情報処理装置として通信機能を有するファクシミリの一例を示す概略的構成図である。
【００３２】同図において、１０２は原稿４を取り込み位置に向けて給送するための給送手段としての給送ローラ、１０４は原稿４を一枚ずつ確実に分離給送するための分離片である。１０６はセンサユニット１００に対して読み取り位置に設けられて原稿４の被読み取り面を規制するとともに原稿４を搬送する搬送手段としてのプラテンローラである。
【００３３】センサユニット１００の枠体が導電性の場合には、装置のアース電位に接続することで枠体を所定の電位に保持する。」（第４頁左欄第１０〜２２行）
　オ．センサアレイ８は光電変換素子９を配列する基板状のものである。（第３図）
　カ．枠体１０は、はめ込んだレンズアレイ７が窓部６と反対側の光軸方向に抜けないように、レンズアレイ７の出射面の長手方向に沿った両端部に接触して該レンズアレイ７を支持する突起部を有する。（第３図）
　キ．窓部６は、原稿側へ向かってテーパ状に狭まっている両側面部およびレンズアレイ側の底面の一部分において、枠体１０と密接して固定されている。（第３図）
　これらの記載からみて、引用例１には、
「原稿を照明するための光源であるＬＥＤアレイ１と、原稿面の光情報を結像するための結合素子としてのレンズアレイ７と、このレンズアレイ７により結像された光情報を電気信号へ変換する光電変換素子９を読み取り原稿の長さに対応し配列した基板状のセンサアレイ８と、レンズアレイ７の出射面の長手方向に沿った両端部に接触して該レンズアレイ７を支持する突起部及び透明プラスチックからなる窓部６の原稿側に向かってテーパ状に狭まっている両側面部とレンズアレイ側の底面の一部分とに密接する部分を有する枠体１０と、前記窓部６は前記枠体１０と一体押し出し形成されて接着せずに固定されるものであり、前記レンズアレイ７は前記窓部５の反対側からその光軸方向に向かって入射面が前記窓部６に突き当たり、かつ出射面の長手方向に沿った両端部が枠体１０の前記突起部で支持されるように前記枠体１０にはめ込まれるものである、センサユニットを構成する密着型イメージセンサ。」の発明（以下、「引用例１記載の発明」という。）が記載されている。
　
（２）引用例２
　また同じく、当審で引用した実願平４−６２９５５号（実開平６−２９２５９号）のＣＤ−ＲＯＭ（以下、「引用例２」という。）には、特に従来技術に係るものとして図面とともに以下の記載がある。
　ア．「【０００４】
　図７は従来のハンディスキャナの構成を示す縦断面図、図８は従来のハンディスキャナの構成を図７とは異なる方向より示す縦断面図である。これら各図において、ハンディスキャナ１は、蓋となるアッパカバー８と各種機器を取付け収容したロアカバー９とからその筐体が構成されている。ロアカバー９には、サブローラ１０が回転自在に取付けられるとともに、サイドフレーム１１が一体化して設けられている。サイドフレーム１１には、シャフト１２を介してメインローラ１３が回転自在に取付けられるとともに、光学式読取部であるイメージセンサユニット１４がねじ１５により位置決め固定されている。またサイドフレーム１１には、印刷配線基板１６が取付けられている。イメージセンサユニット１４内には、ＬＥＤ１７、正立等倍結像レンズ１８および光電変換素子１９が所定位置に配置されており、更にイメージセンサユニット１４の下部には防塵用透明部材である防塵用ガラス２０がイメージセンサユニット１４の開口を塞ぐように密閉状態で固着されている。防塵用ガラス２０と原稿２の読取面（上面）とは微小間隙ｇが保たれている。この微小間隙ｇは、イメージセンサユニット１４内の正立等倍結像レンズ１８が有する被写界深度内に設定されている。」（第６頁第２４行〜第７頁第１０行）
　イ．「【０００６】
　次に、前述のように構成された従来装置の動作について説明する。
　まず、図７および図８に基づきハンディスキャナ単独使用時（以下、ハンディ時という）の読取動作を説明する。ハンディ時においては、原稿２と防塵用ガラス２０との間隔を、メインローラ１３とサブローラ１０によってｇに保った状態で読取りが行われる。そしてハンディスキャナ１を図７に示す矢印Ａ方向に移動させると、メインローラ１３が原稿２上を矢印Ｂ方向に回転する。」（第７頁第２０〜２６行）
　ウ．イメージセンサユニット１４は、筐体内に収納されている。（第７図）
　これらの記載からみて、引用例２には、
「ＬＥＤ１７、正立等倍結像レンズ１８および光電変換素子１９が所定位置に配設され、下部に開口を塞ぐように防塵用ガラス２０が固着されたイメージセンサユニット１４を内部に収納した筐体と、原稿上を回転して前記筐体を移動させ、前記防塵用ガラス２０と原稿とを所定の間隔ｇをおくように前記筐体に取り付けられたメインローラ１３およびサブローラ１０とを備えたハンディスキャナ。」が記載されている。
　
４．対比
　そこで、本願発明と引用例１記載の発明とを対比すると、
　引用例１記載の発明の「ＬＥＤアレイ１」、「レンズアレイ７」、「光電変換素子９」、基板状の「センサアレイ８」、「枠体１０」、透明プラスチックからなる「窓部６」は、それぞれ本願発明の「ライン光源」、「ロッドレンズアレイ」、「センサＩＣ」、「センサ基板」、「フレーム」、「透明部材」に相当し、さらに、引用例記載の発明の「枠体１０」におけるレンズアレイ７の出射面の長手方向に沿った両端部に接触して該レンズアレイ７を支持する「突起部」は、レンズアレイ７の光軸方向における位置決めを行っているといえるから、本願発明の「フレーム」における「位置決め部」に相当し、引用例記載の発明の「窓部６」における原稿側に向かってテーパ状に狭まっている「両側面部」とレンズアレイ側の「底面の一部分」、「枠体１０」における上記両側面部と底面の一部分とに密接する「部分」は、「窓部６」と「枠体１０」の両部材が接着せずに（接着剤を用いることなしに）係合し合う部分といえるから、それぞれ本願発明の「透明部材」における「係合手段」、「フレーム」における複数の「係合部」に相当するものであることから、両者は、
「原稿に光を照射するライン光源と、原稿からの反射光を集束するロッドレンズアレイと、このロッドレンズアレイからの反射光を結像するセンサＩＣを有するセンサ基板と、前記ロッドレンズアレイの出射面の長手方向に沿った両端部に接触して前記ロッドレンズアレイの光軸方向における位置決めを行う位置決め部及び複数の係合部を有するフレームと、前記ロッドレンズアレイの入射面に接触し、前記フレームの複数の係合部に接着せずにそれぞれ係合する係合手段を有する透明部材とを備えたイメージセンサ。」
である点で一致し、次の点で相違する。
（相違点１）
　本願発明では透明部材がロッドレンズアレイの入射面に接触して該ロッドレンズアレイの出射面の長手方向に沿った両端部をフレームの位置決め部に
押し当てる
（相違点２）
　本願発明ではロッドレンズアレイとフレーム及び透明部材を内側に収納した筐体と、原稿上を回転して前記筐体を移動させ、前記透明部材を前記筐体の内側に収納した状態で前記透明部材と原稿とを所定の間隔をおくように前記筐体に取り付けられた複数のローラとを備えるものであるのに対し、引用例記載の発明ではそのことが記載されていない点。
　
５．当審の判断
　上記相違点について検討する。
（相違点１）について
　引用例記載の発明において、レンズアレイは窓部の反対側からその光軸方向に向かって入射面が窓部に突き当たり、かつ出射面の長手方向に沿った両端部が枠体の突起部で支持されるように枠体にはめ込まれるものであることから、レンズアレイはその光軸方向に、窓部と枠体の突起部とによって挟持されているといえる。そして、レンズアレイが振動等によってずれたりしないように窓部と枠体の突起部による挟持の力を、レンズアレイの枠体へのはめ込みが不可能とならない程度に強くしておくといったことは当然に考慮されるべき事項である。したがって、窓部と枠体の突起部によるレンズアレイを挟持する力をある程度強くしておく、すなわち、窓部によってレンズアレイの出射面の長手方向に沿った両端部が枠体の突起部に押し当てられる（逆に言えば、枠体の突起部によってレンズアレイの出射面が窓部に押し当てられる）程度のものとすることは当業者であれば普通になし得る設計事項にすぎない。
（相違点２）について
　引用例記載の発明におけるイメージセンサをセンサユニットとして、ハンディタイプのものとして使用できるように、例えば引用例２に記載されているようにセンサユニットを筐体内に収納し、該筐体には、原稿上を回転して筐体を移動させ、透明部材（防塵用ガラス）と原稿とを所定の間隔ｇをおくように複数のローラを取り付ける構成とすることは当業者が容易になし得ること認められる。なお、センサユニットを筐体内に収納する場合、防塵用ガラスと原稿との間隔を、例えば実願昭６３−３６２９８号（実開平１−１４２２６９号）のマイクロフィルム（第３図参照）、特開平３−１５８０６４号公報（第３図参照）、原査定の拒絶の理由に引用された実願昭６１−１９８３８６号（実開昭６３−１０６２６６号）のマイクロフィルムに見られるように、透明部材を筐体の内側に収納した状態となる程度とすることも当業者であれば適宜になし得る設計事項にすぎない。
　そして、本願発明の構成に基づく作用効果についてみても当業者が予測し得る範囲内のものにすぎず、格別顕著なものがあるとはいえない。
　
６．むすび
　以上のとおり、本願発明は、引用例１及び引用例２に記載された発明に基づいて当業者が容易に発明をすることができたものであるから、特許法第２９条第２項の規定により特許を受けることができない。
　よって、結論のとおり審決する。